(57)【要約】【課題】高温時においても低温時においても粘着力が低下しない粘着剤層を設けたものとしないでも、高温時においても低温時においても粘着力が低下しない状態として粘着しておける粘着剤層を設けた養生シートを提供する。【解決手段】合成樹脂シート１の片面に粘着剤層を設けたシート状物において、高温時において粘着力が低下しない粘着剤層２ａと、低温時において粘着力が低下しない粘着剤層２ｂとを、長さ方向に所定の幅で繰り返して交互に設けたものとしている。【選択図】図１
2009197520.tif 000002
【特許請求の範囲】
【請求項１】
合成樹脂シート（１）の片面に粘着剤層を設けたシート状物において、高温時において粘着力が低下しない粘着剤層（２ａ）と、低温時において粘着力が低下しない粘着剤層（２ｂ）とを、長さ方向に所定の幅で繰り返して交互に設けたことを特徴とする養生シート。
【請求項２】
前記粘着剤層（２ａ）と粘着剤層（２ｂ）を、合成樹脂シート１の片面に長さ方向に所定の幅で繰り返して交互に塗布したことを特徴とする請求項１記載の養生シート。
【請求項３】
前記粘着剤層（２ｂ）を合成樹脂シート（１）の片面の全域に塗布し、この粘着剤層（２ｂ）の上に前記粘着剤層（２ａ）を長さ方向に所定の間隔を開けて繰り返して塗布したことを特徴とする請求項１記載の養生シート。
【請求項４】
前記粘着剤層（２ａ）が、高温時において３．０〜５．５Ｎ／２５ｍｍの粘着力を有するものとし、前記粘着剤層（２ｂ）が、低温時において３．０〜５．５Ｎ／２５ｍｍの粘着力を有するものとしたことを特徴とする請求項１記載の養生シート。
【発明の詳細な説明】
【技術分野】
【０００１】
この発明は、住宅などの施工時に床面などを覆って、土や泥、材木の破片、雨水などから床面を保護する養生シートに関するものである。
【背景技術】
【０００２】
従来、この種の養生シートとしては、例えば図４に示したように、合成樹脂シート１１の表面に多数の凹凸１２が形成され、裏面全面に、シート剥離時に床パネル面に残らないアクリル系樹脂製の粘着剤層１３が形成されたものが存在した（特許文献１）。
【０００３】
このような従来の養生シートは、合成樹脂シート１１の表面に多数の凹凸１２が形成されたものであるため、降雨等により水が溜まったり又は面上が濡れていたり、あるいは施工作業者の靴に泥が付着していても、養生シート面が滑り難く、作業者が安全に施工作業を行えるとしている。
【０００４】
さらに、この種の養生シートとしては、例えば図５に示したように、合成樹脂フィルム２１の裏面に粘着剤層２２を設けたシート状物において、合成樹脂フィルム２１表面の長さ方向に沿った少なくとも１〜１０ｃｍ幅の合成樹脂フィルム帯状平坦部２３を有し、且つこの平坦部がプラズマ加工されているとともに、それ以外の全部分に合成樹脂フィルム凹凸部２４を設けてなるものが存在した（特許文献２）。
【０００５】
このような従来の養生シートは、床パネル面に合成樹脂フィルム帯状平坦部２３どうしを重ねて貼着することにより、家屋建築中における降雨等による水の床パネル面や床材中への浸入を防止できるとしている。さらに、この養生シートの表面には、全体に凹凸形状が形成されているので、床面パネル面上に敷設されたこの養生シート上に足を踏み入れて作業をしても足を滑らすことなく安全に作業を続けることができるとしている。
【特許文献１】実用新案登録第２５９９８１１号公報
【特許文献２】特許第３２８１２１９号公報
【発明の開示】
【発明が解決しようとする課題】
【０００６】
しかしながら、上記特許文献１及び特許文献２に開示された従来の養生シートは、いずれも粘着剤層の粘着力の性能ついてはまったく考慮されていない。
【０００７】
このような従来の養生シートを家屋建築中の床パネル面などに施工する場合、夏季と冬季では気温差が大きいため、その季節によって粘着剤層の粘着力が低下してしまい、常に安定した状態で、床パネル面などに粘着しておけないという問題点を有する。また、従来の養生シートでは、季節だけでなく、その養生シートが施工された場所の日当たりなどの環境によっても温度が大きく変化し、常に安定した状態で、床パネル面などに粘着しておけないという問題点を有する。
【０００８】
すなわち、従来の養生シートの粘着剤層を高温時に強いものにすると、夏季などの高温時や日当たりの良い場所では粘着力が低下しないが、冬季などの低温時や日当たりの悪い場所では粘着力が低下してしまう。逆に、その粘着剤層を低温時に強いものにすると、冬季などの低温時や日当たりの悪い場所では粘着力が低下しないが、夏季などの高温時や日当たりの良い場所では粘着力が低下してしまう。
【０００９】
そのため、養生シートでは、高温時においても低温時においても粘着力が低下しない粘着剤層を設けたものが求められているが、高価であったりして、なかなか適当な粘着剤層が見つかっていないのが現状である。
【００１０】
そこで、この発明は、高温時においても低温時においても粘着力が低下しない粘着剤層を設けたものとしないでも、高温時においても低温時においても粘着力が低下しない状態として粘着しておける粘着剤層を設けた養生シートを提供することを目的としてなされたものである。
【課題を解決するための手段】
【００１１】
この発明の養生シートは、合成樹脂シート１の片面に粘着剤層を設けたシート状物において、高温時において粘着力が低下しない粘着剤層２ａと、低温時において粘着力が低下しない粘着剤層２ｂとを、長さ方向に所定の幅で繰り返して交互に設けたものとしている。
【００１２】
そして、この発明の養生シートは、前記粘着剤層２ａと粘着剤層２ｂを、合成樹脂シート１の片面に長さ方向に所定の幅で繰り返して交互に塗布したものとしている。
【００１３】
さらに、この発明の養生シートは、前記粘着剤層２ｂを合成樹脂シート１の片面の全域に塗布し、この粘着剤層２ｂの上に前記粘着剤層２ａを長さ方向に所定の間隔を開けて繰り返して塗布したものとしている。
【００１４】
また、この発明の養生シートは、前記粘着剤層２ａが、高温時において３．０〜５．５Ｎ／２５ｍｍの粘着力を有するものとし、前記粘着剤層２ｂが、低温時において３．０〜５．５Ｎ／２５ｍｍの粘着力を有するものとしている。
【発明の効果】
【００１５】
この発明の養生シートは、以上に述べたように構成されているので、高温時においても低温時においても粘着力が低下しない粘着剤層を設けたものとしないでも、高温時においても低温時においても粘着力が低下しない状態として粘着しておけるものとなり、季節や環境などによる温度差にかかわらず、常に安定した状態で、床パネル面などに粘着しておけるものとなり、汎用性の高いものとなった。
【発明を実施するための最良の形態】
【００１６】
以下、この発明の養生シートを実施するための最良の形態を、図面に基づいて詳細に説明する。
【００１７】
この発明の養生シートは、図１〜４に示したように、合成樹脂シート１の片面の全域に粘着剤層を設けたシート状物において、高温時において粘着力が低下しない粘着剤層２ａと、低温時において粘着力が低下しない粘着剤層２ｂとを、長さ方向に所定の幅で繰り返して交互に設けたものとしている。このようにするには、図２に示したように、前記粘着剤層２ａと粘着剤層２ｂを、合成樹脂シート１の片面に長さ方向に所定の幅で繰り返して交互に塗布したり、図４に示したように、前記粘着剤層２ｂを合成樹脂シート１の片面の全域に塗布し、この粘着剤層２ｂの上に前記粘着剤層２ａを長さ方向に所定の間隔を開けて繰り返して塗布したりすればよい。
【００１８】
前記合成樹脂シート１において、粘着剤層２ａと粘着剤層２ｂのそれぞれの幅は、等しくするのが、高温時と低温時の粘着力を等しくし易かったり、加工面で有利であったりするので好ましいが、高温時と低温時の粘着力に差が生じてもよく、特に等しくする必要はない。また、粘着剤層２ａと粘着剤層２ｂは、合成樹脂シート１の全幅にもよるが、それぞれ２〜１０回程度、繰り返したものとすればよい。例えば、図１、２に示したものでは、合成樹脂シート１の全幅を１００ｃｍにし、粘着剤層２ａと粘着剤層２ｂのそれぞれの幅を１０ｃｍとし、それぞれ５回繰り返したものとしており、図３、４に示したものでは、合成樹脂シート１の全幅を８０ｃｍにし、粘着剤層２ａの幅を５ｃｍとして６回繰り返し、粘着剤層２ｂの幅を１０ｃｍとして５回繰り返したものとしている。
【００１９】
前記粘着剤層２ａは、高温時において３．０Ｎ以上／２５ｍｍ、好ましくは３．０〜５．５Ｎ／２５ｍｍの粘着力を有するものとし、前記粘着剤層２ｂは、低温時において３．０Ｎ以上／２５ｍｍ、好ましくは３．０〜５．５Ｎ／２５ｍｍの粘着力を有するものとしている。ここで言う粘着力は、粘着テープ・粘着シート試験方法に基づくＪＩＳ  Ｚ  ０２３７：１８０度引き剥がし粘着力の測定値によった。また、高温時とは、２０℃〜３０℃未満、３０℃〜４０℃未満、４０℃以上というように設定してもよいが、例えば我が国における夏季の平均気温より高い温度とすることもでき、低温時とは、１０℃〜２０℃未満、０℃〜１０℃未満、０℃未満というように設定してもよいが、例えば我が国における冬季の平均気温より低い温度とすることもできる。
【００２０】
また、前記粘着剤層２ａと粘着剤層２ｂは、合成ゴム系、ポリオレフィン系、アクリル系、ポリエステル系、ポリアミド系、ポリウレタン系などの各種ホットメルト粘着剤からなるものとしており、その重合度によったり、可塑剤、安定剤等の種類や添加量によって、高温時において粘着力が低下しないものとしたり、低温時において粘着力が低下しないものとしている。
【００２１】
なお、前記合成樹脂シート１としては、ポリエチレン、ポリプロピレン、ポリ塩化ビニルなどの防水性、耐候性に優れた合成樹脂シートが用いられる。
【００２２】
このように構成したこの発明の養生シートは、不使用時には、粘着剤層の上に剥離紙（図示せず）を必要に応じ貼り合わせ、この粘着剤層を内側にして合成樹脂シート１を巻回して、図に示したようにロール状にしておく。なお、粘着剤層の上に剥離紙を貼り合わせた場合には、この粘着剤層を外側にして合成樹脂シート１を巻回し、ロール状にしておいてもよい。
【００２３】
そして、家屋建築中の床パネル面などに施工する場合には、ロール状に巻回した合成樹脂シート１を引き出して、適宜寸法に裁断して、継目をオーバラップさせるなどして、床パネル面などの全域に粘着させればよい。
【００２４】
そこで、この発明の養生シートを施工する時期が夏季であったり、その養生シートを施工する場所の日当たりが良かったりすると、低温時において粘着力が低下しない粘着剤層２ｂの粘着力が有効に作用しなくなっても、高温時において粘着力が低下しない粘着剤層２ａの粘着力が有効に作用するので、養生シートの床パネル面などへの粘着力は全体としてそれほど低下しないものとなる。また、この発明の養生シートでは、養生シートが不要となったときに床パネル面などから剥離する場合には、低温時において粘着力が低下しない粘着剤層２ｂの粘着力が有効に作用しなくなれば、この粘着剤層２ｂが床パネル面などから弱い力で剥離することができるので、剥離し易くなり、その剥離作業に手間がかかないものとなる。
【００２５】
また、この発明の養生シートを施工する時期が冬季であったり、その養生シートを施工する場所の日当たりが悪かったりすると、高温時において粘着力が低下しない粘着剤層２ａの粘着力が有効に作用しなくなっても、低温時において粘着力が低下しない粘着剤層２ｂの粘着力が有効に作用し、養生シートの床パネル面などへの粘着力は全体としてそれほど低下しないものとなる。また、この発明の養生シートでは、養生シートが不要となったときに床パネル面などから剥離する場合には、高温時において粘着力が低下しない粘着剤層２ａの粘着力が有効に作用しなくなれば、この粘着剤層２ａが床パネル面などから弱い力で剥離することができるので、剥離し易くなり、その剥離作業に手間がかかないものとなる。
【００２６】
したがって、この発明の養生シートでは、高温時においても低温時においても粘着力が低下しない粘着剤層を設けたものとしないでも、高温時においても低温時においても粘着力が低下しない状態として粘着しておけるものとなり、季節や環境などによる温度差にかかわらず、常に安定した状態で、床パネル面などに粘着しておけるものとなった。
【図面の簡単な説明】
【００２７】
【図１】この発明の養生シートの一実施形態を示す斜視図である。
【図２】図１に示すこの発明の養生シートの幅方向における一部拡大断面図である。
【図３】この発明の養生シートの他の実施形態を示す斜視図である。
【図４】図３に示すこの発明の養生シートの幅方向における一部拡大断面図である。
【図５】従来の養生シートの一例の構成を示す断面図である。
【図６】従来の養生シートの他の例の使用状態を示す断面図である。
【符号の説明】
【００２８】
１  合成樹脂シート
２ａ  粘着剤層
２ｂ  粘着剤層
【図１】
2009197520.tif 000003
【図２】
2009197520.tif 000004
【図３】
2009197520.tif 000005
【図４】
2009197520.tif 000006
【図５】
2009197520.tif 000007
【図６】
2009197520.tif 000008